(57)【特許請求の範囲】
【請求項１】
電子機器のハウジング内に、保持部材を介して、記憶装置を保持する電子機器の保持構造に於いて、
前記保持部材に、前記記憶装置の端部を挟持する挟持用爪を有する枠部材が支持してあり、
前記枠部材の前記挟持用爪は、第１の爪と第２の爪とで構成され、前記第１の爪の数と前記第２の爪の数が異なっており、
前記枠部材は、前記記憶装置の第１の側方と該第１の側方に対向する第２の側方とに、少なくとも１つずつ設けてあり、
前記第１の側方に設けられた枠部材は、前記第２の側方に設けられた枠部材に対して、上下反転して前記保持部材に支持されていることを特徴とする電子機器の保持構造。
【請求項２】
前記第１の側方に設けられた枠部材の第１の爪は前記記憶装置の一方の平面部に接触し、前記第１の側方に設けられた枠部材の第２の爪は前記記憶装置の前記一方の平面部の裏側に位置する他方の平面部に接触し、前記第２の側方に設けられた枠部材の第１の爪は前記他方の平面部に接触し、前記第２の側方に設けられた枠部材の第２の爪は前記他方の平面部に接触することを特徴とする請求項１に記載の電子機器の保持構造。
【請求項３】
前記枠部材は、前記保持部材の間に挟み込むフランジを有することを特徴とする請求項１または２に記載の電子機器の保持構造。
【請求項４】
前記枠部材の前記挟持用爪は、少なくとも２つの前記第１の爪と、少なくとも１つの前記第２の爪とで構成されていることを特徴とする請求項１乃至３のいずれか１項に記載の電子機器の保持構造。
【請求項５】
前記保持部材は、弾性体であることを特徴とする請求項１乃至４のいずれか１項に記載の電子機器の保持構造。
【請求項６】
前記保持部材は、前記記憶装置の平面部の側方に位置して配置してあることを特徴とする請求項３または４に記載の電子機器の保持構造。
【請求項７】
前記枠部材の挟持用爪は、前記記憶装置の端部に着脱自在であることを特徴とする請求項１乃至６のいずれか１項に記載の電子機器の保持構造。
【発明の詳細な説明】
【技術分野】
【０００１】
本発明は、電子機器のハウジング内に、緩衝部材等の保持部材を介して、記憶装置を保持する電子機器の保持構造に関する。
【背景技術】
【０００２】
例えば、携帯用のパーソナルコンピュータ、デジタルカメラ、携帯用映像音響機器などの電子機器に於いては、信号を記憶する装置として、例えば、固定磁気ディスク装置（以下、ＨＤＤ）などが搭載してある場合がある。
【０００３】
このＨＤＤは、記憶容量が大きい反面、振動や衝撃には、余り強くないといったことがある。
【０００４】
また、上記のような電子機器は、小型化が進行しており、それに伴って、ＨＤＤも小型化の傾向にある。その結果、電子機器に、ＨＤＤを搭載する搭載構造（保持構造）も小型化の要請がある。
【０００５】
特許文献１では、このような背景から、磁気ディスク装置の側面には、ブラケットが螺子により固定され、このブラケットが、上下方向から上側緩衝部材および下側緩衝部材によって挟み込まれ、さらに上側緩衝部材および下側緩衝部材が、上下方向から筐体の内面間に挟み込まれて、磁気ディスク装置が筐体の内部空間内に支持されている。ブラケットを上側緩衝部材および下側緩衝部材との間に挟み込んでいるので、磁気ディスク装置自体を同じ寸法の上側緩衝部材および下側緩衝部材との間に挟み込む場合に比べ、上下方向寸法が小さい薄い構造になる。上側緩衝部材および下側緩衝部材の厚さを従来よりも薄くした訳ではないので、従来品に比べて、耐衝撃性や防振性が損なわれることはない。
【特許文献１】特開平１１−１７７２６１号公報
【発明の開示】
【発明が解決しようとする課題】
【０００６】
しかしながら、特許文献１では、一対の緩衝部材に挟み込むブラケットは、螺子によって、磁気ディスク装置に固定してある。
【０００７】
その結果、筐体に磁気ディスク装置を一旦組み込んだ後には、磁気ディスク装置を着脱できないといった不都合がある。
【０００８】
また、組立時には、螺子による固定作業が伴うことから、組立作業が煩雑であるといったことがある。
【０００９】
さらに、磁気ディスク装置に螺子を使用することは、磁気ディスク装置に、不用意な応力を加えることになり、また、螺子止めのための不要なスペースも必要とするといったことがあり、余り好ましくない。
【００１０】
本発明は、上述したような事情に鑑みてなされたものであって、記憶装置の耐衝撃性や防振性を十分に確保しつつ、電子機器の小型化を図り、しかも、記憶装置の着脱が可能であり、その組立作業が簡易であり、さらに、螺子による不用意な応力や螺子止めのための不要なスペースとも無縁にすることができる、電子機器の保持構造を提供することを目的とする。
【課題を解決するための手段】
【００１１】
上記の目的を達成するため、本発明に係る電子機器の保持構造は、電子機器のハウジング内に、保持部材を介して、記憶装置を保持する電子機器の保持構造に於いて、
前記保持部材に、前記記憶装置の端部を挟持する挟持用爪を有する枠部材が支持してあり、
前記枠部材の前記挟持用爪は、第１の爪と第２の爪とで構成され、前記第１の爪の数と前記第２の爪の数が異なっており、
前記枠部材は、前記記憶装置の第１の側方と該第１の側方に対向する第２の側方とに、少なくとも１つずつ設けてあり、
前記第１の側方に設けられた枠部材は、前記第２の側方に設けられた枠部材に対して、上下反転して前記保持部材に支持されていることを特徴とする。
【発明の効果】
【００１２】
本発明によれば、記憶装置の耐衝撃性や防振性を十分に確保しつつ、電子機器の小型化を図ることができる。しかも、記憶装置の着脱が可能であり、その組立作業が簡易であり、さらに、螺子による不用意な応力や螺子止めのための不要なスペースとも無縁にすることができる。
【発明を実施するための最良の形態】
【００１３】
以下、本発明の実施の形態に係る電子機器の保持構造を図面を参照しつつ説明する。
【００１４】
図１は、本発明の実施の形態に係る電子機器の断面図である（図２のＩ−Ｉ線に沿った断面に対応）。
【００１５】
図２は、図１に示した電子機器に於いて、一つのハウジングと保持部材を取り外した状態の平面図である。
【００１６】
図３は、図２のＩＩＩ−ＩＩＩ線に沿った断面図である。
【００１７】
図４は、図１に示した電子機器に装着する枠部材の斜視図である。
【００１８】
図１に示すように、本実施の形態では、ハウジング１，２内に、保持部材３，３、３，３と枠部材４，４とにより、例えば、固定磁気ディスク装置（以下、ＨＤＤ）などの記憶装置５が装着してある。
【００１９】
一対のハウジング１，２は、互いに対向して嵌合するように構成してあり、その内部に、記憶装置５等を収納するようになっている。図示例では、ハウジング１，２は、一つの電子機器のユニットに構成してあるが、これに限るものではなく、携帯用のパーソナルコンピュータ、デジタルカメラ、携帯用映像音響機器などの電子機器のハウジングであってもよく、ハウジング１，２は、これら電子機器の外壁の一部を構成することもある。
【００２０】
ハウジング１，２内の両側には、それぞれ、２対ずつの保持部材３，３、３，３が略四角柱状に形成して配置してあるが、各保持部材３は、好適には、弾性体であり、例えば、ゴム材料、ゲル材料、バネ等であり、また、これらが組み合わせてあってもよい。
【００２１】
一対の枠部材４，４は、記憶装置５の両側に設けてあり、左右一対の枠部材４，４は、同じものであり、一方の枠部材４に対して、他方の枠部材４は、１８０°回転（自転）して配置してある。各枠部材４は、金属製であるが、その他、樹脂等の材質であってもよい。
【００２２】
図４に示すように、各枠部材４は、片側に、一対の保持部材３，３の間に挟み込むフランジ１１を有し、反対側に、記憶装置５の端部を挟持する２個の挟持用爪１２，１２と１個の挟持用爪１３とを有している。
【００２３】
２個の挟持用爪１２，１２は、図示例では、下側で両端に、残りの１個の挟持用爪１３は、上側で中央に設けてあり、互いに軸方向に位置ずれしてある。
【００２４】
１個の枠部材に於いて、２個の挟持用爪１２，１２は、記憶装置５の一方の平面部の端部に接触し、残りの１個の挟持用爪１３は、記憶装置５の裏面の平面部の端部に接触するようになっている。
【００２５】
このように、２個の挟持用爪１２，１２と、残り１の個の挟持用爪１３とは、互いに軸方向に位置ずれしながら、互いに協働して、記憶装置５の端部を挟持するようになっている。このようなことから、各枠部材４は、少なくとも３個の挟持用爪１２，１２，１３を有していればよい。但し、挟持用爪１２，１２，１３の個数は、これに限定されるものではない。
【００２６】
次に、図２に示すように、左右一対の枠部材４，４に関しては、一方の枠部材４の２個の挟持用爪１２，１２は、記憶装置５の一つの平面部の一方の端部に接触するようになっており、他方の枠部材４の１個の挟持用爪１３は、同じ平面部の他方の端部に接触するようになっている。
【００２７】
さらに、２個の挟持用爪１２，１２と、残り１の個の挟持用爪１３とは、記憶装置５の端部を挟持するが、好適には、挟持力をそれ程堅固にすることなく、記憶装置５を着脱することができるように構成してある。なお、逆に、挟持力を著しく堅固に構成して着脱不可に構成してあってもよい。
【００２８】
以上から、ハウジング１，２内の両側の保持部材３，３、３，３に、一対の枠部材４，４を介して、記憶装置５が弾性的に支持してある。即ち、保持部材３，３、３，３に、各枠部材４のフランジ１１を挟み込むと共に、記憶装置５が各枠部材４の挟持用爪１２，１２，１３により挟持して保持してある。よって、記憶装置５の耐衝撃性や防振性を十分に確保しつつ、電子機器の小型化を図ることができる。しかも、記憶装置５の着脱が可能であり、その組立作業が簡易であり、さらに、螺子による不用意な応力や螺子止めのための不要なスペースとも無縁にすることができる。
【００２９】
また、保持部材３，３、３，３は、記憶装置５の平面部の両側方に位置して配置してあると共に、この平面部とハウジング１，２の内壁との間には、十分な隙間（空間）が確保してあることから、ハウジング１，２の厚みを十分に抑制しながら、保持部材３，３、３，３（弾性体）の厚みを十分に確保して必要十分な防振性をも確保することができる。
【００３０】
なお、本発明は、上述した実施の形態に限定されず、種々変形可能である。
【図面の簡単な説明】
【００３１】
【図１】本発明の実施の形態に係る電子機器の断面図である（図２のＩ−Ｉ線に沿った断面に対応）。
【図２】図１に示した電子機器に於いて、一つのハウジングと保持部材を取り外した状態の平面図である。
【図３】図２のＩＩＩ−ＩＩＩ線に沿った断面図である。
【図４】図１に示した電子機器に装着する枠部材の斜視図である。
【符号の説明】
【００３２】
１，２…ハウジング、３…保持部材、４…枠部材、５…記憶装置、１２，１２，１３…挟持用爪。
【図１】
0004692228.tif 000002
【図２】
0004692228.tif 000003
【図３】
0004692228.tif 000004
【図４】
0004692228.tif 000005